(57)【要約】【課題】従来の無落雪住宅の構成とは異なる屋根構造により、屋根上の積雪自体を減少させ、かつ落雪発生を防止することができるとともに、ごみや枯れ葉の堆積を防止し、すが漏れの発生を防止することのできる、水平屋根構造および水平屋根構造工法を提供すること。【解決手段】水平屋根構造１を、水平に設けられた水平屋根１０と、その少なくとも一部に設けられたパラペット２０とからなり、さらに水平屋根１０は、建築物躯体上に設けられた水平な板状構造物である水平板状体３と、該水平板状体３の上方にこれを被覆して設けられた防水シート４と、該水平屋根１０上からの排水を行うためのドレン部５とから構成する。防水シート４は、水平板状体３に固設されたシート固着部材６Ａ、６Ｂ等に溶着して点張りする。水平板状体３は、構造用合板、およびその上面に載設されたスレート板等の構造用部材から構成する。【選択図】　図１
2004036238.tif 000002
【特許請求の範囲】
【請求項１】
水平に設けられた水平屋根と、該水平屋根の周囲の少なくとも一部に設けられたパラペットとからなる水平屋根構造であって、該水平屋根は、建築物躯体上に設けられた水平な板状構造物である水平板状体と、該水平板状体の上方にこれを被覆して設けられた防水シートと、該水平屋根上からの排水を行うためのドレン部とを備えていることを特徴とする、水平屋根構造。
【請求項２】
前記防水シートは前記水平板状体に固設されたシート固着部材に溶着されて点張りされていることを特徴とする、請求項１に記載の水平屋根構造。
【請求項３】
前記水平屋根を構成する水平板状体は構造用合板、およびその上方面に載設されたスレート板またはその他の構造用部材を備えることを特徴とする、請求項１または２に記載の水平屋根構造。
【請求項４】
建築物躯体上に水平な板状構造物である水平板状体を設け、該水平板状体に二以上のシート固着部材を固設し、該水平板状体を被覆して防水シートを設け、該防水シートを該シート固着部材に溶着して該水平板状体に点張りすることによって水平屋根を構成し、さらに該水平屋根上には排水用のドレン部を設け、一方該水平屋根の周囲には該水平屋根上に吹き込む気流に乱流を生じさせるパラペットを設けることを特徴とする、水平屋根構造工法。
【請求項５】
建築物躯体上に水平な板状構造物である水平板状体として構造用合板を乱張りし、その上にスレート板またはその他の構造用部材を設けて水平板状体とし、該水平板状体に二以上のシート固着部材を固設し、該水平板状体を被覆して防水シートを設け、該防水シートを該シート固着部材に溶着して該水平板状体に点張りすることによって水平屋根を構成し、さらに該水平屋根上には排水用のドレン部を設け、一方該水平屋根の周囲には該水平屋根上に吹き込む気流に乱流を生じさせるパラペットを設け、建築物躯体の軸組みには筋かいを設けることを特徴とする、水平屋根構造工法。
【発明の詳細な説明】
【０００１】
【発明の属する技術分野】
本発明は水平屋根構造および水平屋根構造工法に関し、特に、冬季積雪地帯における建築物屋根上の積雪を減少させることのできる、水平屋根構造および水平屋根構造工法に関する。
【０００２】
【従来の技術】
冬季に積雪の多い地方では、住宅等の建築物の屋根上に積もった雪の処理が問題となる。特に建築物保全上の目的から屋根上の積雪を落下させたり、あるいは積雪が自然に落下する場合、落下した場所からの除雪の必要性、落下に伴う危険が生じる。このような問題の解決を図るため、従来より、屋根上の雪の住宅敷地外への落下を防ぐための無落雪住宅が提供されている。
【０００３】
図１２は、従来の無落雪住宅における屋根構造を、妻行方向から示す縦断面図である。図において従来の無落雪住宅の屋根構造８０は、中央（棟）方向に向かって低くなる傾斜が形成されるように梁６６上に束７８等を設け、その上に桁や母屋桁７１、７６を設け、垂る木７７を設けて、屋根面はトタン板７９により構成する。屋根面はその中央にＦＲＰまたは鋼板製の中央溝８３が形成され、通常１０％以上の勾配が形成される。中央溝８３の一端部にはドレン８５が設けられ、中央溝８３はドレン８５方向に向かって勾配が形成されている。
【０００４】
図１３は、従来の無落雪住宅における屋根構造の平面図（屋根伏せ図）である。図中、水の流れをＦで示す。図において従来の無落雪住宅は、屋根面中央（棟）部分に前記中央溝８３が設けられ、屋根面は中央溝８３に向かって勾配が形成され、中央溝８３は前記ドレン８５方向に向かって勾配が形成されているため、屋根上に積った雪は重力および屋根面の垂直抗力により中央溝方向に向かい滑落し、融雪が生じる場合は中央溝８３あるいはその付近で融雪する。また屋根面上で融雪し水となった場合は水は同じく中央溝８３に向かい流下する。融雪により生じた水は、中央溝８３をドレン８５方向に向かって流下し、ドレン８５を通して排水される。このような作用により、従来の無落雪住宅においては、敷地外への落雪を発生させずに屋根上の雪が処理される。
【０００５】
【発明が解決しようとする課題】
しかし従来の無落雪住宅には、以下に列挙するような様々な問題があった。
１．屋根の中央方向に向かって勾配を設けるために、気流等の関係から、却って屋根上の積雪量が増加してしまう。
２．屋根は凹部が形成された状態となるため、ごみや枯れ葉などが自然に中央溝に溜まり易くなり、ドレンに詰りやすくなる。
３．ごみや枯れ葉のドレンでの詰りにより排水の不良が生じ、屋根上に水溜まりやすくなる。
４．屋根面がトタン葺きにより構成されているため、トタン板の折込みによる継ぎ目から、屋根上に溜まった水が内部に漏れ、いわゆるすが漏れ状態が発生しやすくなる。
【０００６】
５．屋根面には１０％以上の勾配を設け、さらに中央溝にも勾配を設ける必要があることにより軒高が非常に高くなり、そのため風当たり面積および重量が増大するため、それに対応して住宅全体の強度を高める必要がある。
【０００７】
したがって本発明の課題は、上記従来技術の欠点を除き、従来の無落雪住宅の構成とは異なる屋根構造により、屋根上の積雪自体を減少させ、かつ落雪発生を防止することができるとともに、ごみや枯れ葉の堆積を防止し、すが漏れの発生を防止することのできる、水平屋根構造および水平屋根構造工法を提供することである。
【０００８】
また他の課題は、軒高、風当たり面積、重量の増大を抑制することのできる、上記水平屋根構造及び水平屋根構造工法を提供することである。
【０００９】
【課題を解決するための手段】
本願発明者は上記課題について鋭意検討した結果、屋根を水平にし、かつ屋根周囲にパラペットを設け、屋根面には防水シートを設けることにより上記課題を解決できることを見出し、本発明に至った。すなわち、上記課題を解決するための手段として本願で特許請求される発明は、以下のとおりである。
【００１０】
（１）水平に設けられた水平屋根と、該水平屋根の周囲の少なくとも一部に設けられたパラペットとからなる水平屋根構造であって、該水平屋根は、建築物躯体上に設けられた水平な板状構造物である水平板状体と、該水平板状体の上方にこれを被覆して設けられた防水シートと、該水平屋根上からの排水を行うためのドレン部とを備えていることを特徴とする、水平屋根構造。
【００１１】
（２）前記防水シートは前記水平板状体に固設されたシート固着部材に溶着されて点張りされていることを特徴とする、（１）の水平屋根構造。
【００１２】
（３）前記水平屋根を構成する水平板状体は構造用合板、およびその上方面に載設されたスレート板またはその他の構造用部材を備えることを特徴とする、（１）または（２）の水平屋根構造。
【００１３】
（４）建築物躯体上に水平な板状構造物である水平板状体を設け、該水平板状体に二以上のシート固着部材を固設し、該水平板状体を被覆して防水シートを設け、該防水シートを該シート固着部材に溶着して該水平板状体に点張りすることによって水平屋根を構成し、さらに該水平屋根上には排水用のドレン部を設け、一方該水平屋根の周囲には該水平屋根上に吹き込む気流に乱流を生じさせるパラペットを設けることを特徴とする、水平屋根構造工法。
【００１４】
（５）建築物躯体上に水平な板状構造物である水平板状体として構造用合板を乱張りし、その上にスレート板またはその他の構造用部材を設けて水平板状体とし、該水平板状体に二以上のシート固着部材を固設し、該水平板状体を被覆して防水シートを設け、該防水シートを該シート固着部材に溶着して該水平板状体に点張りすることによって水平屋根を構成し、さらに該水平屋根上には排水用のドレン部を設け、一方該水平屋根の周囲には該水平屋根上に吹き込む気流に乱流を生じさせるパラペットを設け、建築物躯体の軸組みには筋かいを設けることを特徴とする、水平屋根構造工法。
【００１５】
すなわち屋根上の積雪自体を減少させ、かつ落雪発生を防止することができるとともに、ごみや枯れ葉の堆積を防止し、すが漏れの発生を防止するという課題に対して本発明は、屋根を水平にしその周囲にパラペットを設け、屋根面には防水シートを被覆するとともにドレン部を設けるという解決手段を提供する。またこのような構成により、軒高、風当たり面積、重量の増大を抑制するという他の課題に対しても、解決手段を与えることができる。
【００１６】
本発明の水平屋根構造および水平屋根構造工法は上述のように構成されるため、以下の特徴を有する。
１．屋根上の積雪を減少させることができ、かつ落雪を防止することができる。
２．防水シートを溶着工法によって設けることにより、年数経過による該シートの剥がれを防止することができ、維持保全の労力とコストが不要となる。
３．木造住宅では用いられる木の性質により曲がり、反り、収縮が生じるが、本発明では防水シートを点張りし、つまり屋根構造材上に所定間隔で留めてシート全体としてはこれを浮かせ張りの状態とするため、シートはこのような建築物躯体の変形の影響を受けず、追随性がよい。
４．屋根に勾配を設ける必要がないため、小屋組みには束等を設ける必要がなく、軒高が高くなることを抑制することができ、風当たり面積、重量ともにその増大を抑制することができ、余計な強度対策は不要である。
５．小屋組みとしては、水平板状体を設けることにより従来よりも水平力が強くなり、その結果その力は、建築物の縦方向の構成である軸組みにも伝わり、建築物全体の強度を高めることができる。
【００１７】
さらに本発明の水平屋根構造および水平屋根構造工法は、以下の特徴をも有する。
６．軒高の抑制や勾配が不要であることにより、屋根を構成する材料およびそれに係るコストを低減することができる。
７．屋根を水平に構成するため、施工作業の能率がよく、効率的に施工することができる。
【００１８】
なお本発明においてパラペットは、屋根周囲に設ける壁上の構造であり、屋根上に吹き込む風の気流に乱流を生じさせるようなあらゆる形状のものがこれに該当する。
【００１９】
【発明の実施の形態】
以下、本発明を図面により詳細に説明する。
図１は、本発明の水平屋根構造の妻行方向からの縦断面図である。図において本水平屋根構造１は、水平に設けられた水平屋根１０と、該水平屋根１０の周囲の少なくとも一部に設けられたパラペット２０とからなり、さらに該水平屋根１０は、建築物躯体上に設けられた水平な板状構造物である水平板状体３と、該水平板状体３の上方にこれを被覆して設けられた防水シート４と、該水平屋根１０上からの排水を行うためのドレン部５と、からなることを主たる構成とする。該パラペット２０は、該水平屋根１０の周囲の一部に設けることも、また全周囲に設けることもできる（請求項１）。
【００２０】
図において本発明の水平屋根構造１が設けられる建築物躯体は、柱４１、梁４６、桁５１、母屋桁５６、垂る木５７等を備えて構成される。
【００２１】
図において本構造は、前記防水シート４が前記水平板状体３に固設されたシート固着部材６Ａ、６Ｂ等に溶着されて点張りされる構成とすることができる（請求項２）。
【００２２】
該防水シート４としては、雨水、雪解け水を透過しない構造、耐寒性、耐候性を備え、さらに木造の軸組み構造に追随することのできる適度の収縮性および弾力性があるものであれば、いかなる種類のものをも用いることができる。酸性雨や酸性雪への化学的な耐性を充分に備えていればさらに良い。たとえば一例として、−３５〜−４０℃の温度条件下でも使用可能な耐寒性、２０年以上の使用に耐える耐候性、３７％塩酸（２０℃〜６０℃）に対する耐性を備えた防水シートは、本発明の用途として充分に使用することができる。
【００２３】
また該シート固着部材６Ａ等としては、たとえば鋼板を用いることができ、前記パラペット２０と前記水平板状体３とにより形成される隅部には直角に折り曲げた形状のコーナー用鋼板を、また該水平板状体３上にはいわゆるデスク状の鋼板を、それぞれ用いることができる。これらは、下部の躯体構造を構成する垂る木５７や、該パラペット２０を構成する合板に、たとえば釘ねじ（８）等を用いて固設することができる。
【００２４】
該防水シート４の溶着は、これを該シート固着部材６Ａ等に剥がれることなく固着することのできる方法であれば、いかなる方法による溶着工法をも用いることができる。また、点張りは適宜のピッチにより行えるが、たとえば６０ｃｍ間隔で行うことができる。防火地域においては、該防水シート４の上にコンクリート層を適宜の厚さで設けることにより、該地域における建築基準を満たすことが可能である。
【００２５】
なお図において前記パラペット２０には、一定量を超えて水が溜まらないように該水平屋根１０上からの排水を行うためのオーバーフロー部２１を設ける構成とすることができる。該オーバーフロー部２１は適宜の鉛直方向上位置に設けることができるが、たとえば該パラペット２０を２００ｃｍの高さにする場合は、これを１００ｃｍ程度とすることができる。
【００２６】
また、前記ドレン部５に接続するパイプは、凍結深度より深い地中に埋設した升にまで延設する。これにより、屋根上から流下した水がパイプや該ドレン部５において凍結が発生することを防止できる。
【００２７】
図２は、図１に示した本発明の水平屋根構造のシート固着部材６Ａ付近を拡大した一部縦断面図である。図において本発明に係る水平屋根１０は、建築物躯体上に設けられた水平な板状構造物である水平板状体３と、該水平板状体３の上方にこれを被覆して設けられた防水シート４と、該水平屋根１０上からの排水を行うためのドレン部（図示せず）とからなり、該防水シート４は、水平板状体３上からこれを通して垂る木５７に打設される釘ねじ８の設けられたシート固着部材６Ａに溶着されている。
【００２８】
図３は、本発明の水平屋根構造の一例を示す平面図（屋根伏せ図）である。図において本構造１は、前記水平屋根１０の全周囲に前記パラペット２０が設けられ、該水平屋根１０の一隅部に前記ドレン部５が設けられた構造をとる。さらにこれに加えて、該パラペット２０の適宜の鉛直方向上位置に前記オーバーフロー部（図示せず）が設けられた構成をとることもできる。該水平屋根１０は水平に設けられるため、その勾配は０％である。
【００２９】
【作用】
本発明の水平屋根構造が上述のように構成されるために有する作用を、図により説明する。
図４は、本発明の水平屋根構造における屋根上の積雪量減少の作用を示す説明図である。図において本水平屋根構造は水平屋根１０の周囲にパラペット２０が設けられているため、屋根１０上に吹き込む風Ｗは、パラペット２０によって遮られない気流Ｗ１と、遮られて水平屋根１０上にて乱流となる気流Ｗ２の二つの流れになる。気流Ｗ２により、屋根上に積もった雪は上方に吹き上げられ、気流Ｗ１に吸引されて水平屋根１０上から排除される（Ｙ）。また、屋根は水平であるため、水平屋根１０の屋根面にはすべて負圧が発生し、一方、より上方を流れる気流Ｗ１は流速が大きく、いわば排気量が大きい状態であるため、屋根１０上の雪はＷ１に吸引されて排除される。
【００３０】
すなわち勾配を設ける従来の無落雪住宅の屋根では負圧発生面があると同時に正圧発生面が生じるが、本発明の水平屋根構造では屋根面全体に負圧が発生するため、屋根上に積った雪が上方を流れる気流に吸引されやすく、それにより屋根上からの雪が排除されやすくなる。気流Ｗ１に吸引された雪は風下に搬送されるため、落雪のように屋根の下方に一時にまとまった量の雪が積る現象を防止することができる。
【００３１】
気流Ｗ１による屋根上の雪の吸引作用は屋根中央部においてより多く発生するため、水平屋根１０上の雪は中央部においてより早く排除される。これにより防水シート４が露出すると、該防水シート４により吸収された太陽熱により、未排除の雪が融けやすくなる。融雪により生じた雪解け水は前記ドレン部５より排水される。該防水シート４による被覆により、水平屋根１０上に水が溜まった場合であってもこれが下部の躯体構造に漏れることはない。
【００３２】
なお前記防水シート４は、前記水平板状体３に固設されたシート固着部材６Ａ等に溶着されて点張りされるため、施工から相当年数が経過しても剥がれることがない。
【００３３】
図５は、本発明の水平屋根構造の妻行方向からの一部拡大縦断面図である。図において本水平屋根構造１に係る水平屋根１０を構成する水平板状体は、構造用合板３１、およびその上方面に載設されたスレート板またはその他の構造用部材３３を備えるものとすることができる（請求項３）。したがって該水平屋根１０は、建築物躯体上に設けられた水平な板状構造物を構成する構造用合板３１、およびその上方面に載設されたスレート板またはその他の構造用部材３３と、その上方にこれを被覆して設けられた防水シート４と、該水平屋根１０上からの排水を行うためのドレン部（図示せず）とからなり、該防水シート４は、水平板状体（３１、３３）上からこれを通して垂る木５７に打設される釘ねじ８をの設けられたシート固着部材６Ａ、６Ｂに溶着されている。
【００３４】
図において、前記パラペット２０が前記水平屋根１０上面から立ち上がる隅部には、シート固着部材６Ｂとして直角に折り曲げた構造のコーナー用鋼板を用い、該パラペット２０を構成する合板には、たとえば釘ねじ８等を用いて固設することができる。前記オーバーフロー部（図示せず）を、前記防水シート４が該シート固着部材６Ｂに溶着される鉛直方向上位置よりも下方に設けることにより、屋根上に相当の水が溜まって、これが該オーバーフロー部から排水される場合であっても、これが下部の躯体構造に漏れることはない。
【００３５】
図において、前記防水シート４の下には、その下地となる前記構造用合板３１が表面に凹凸形状を有する場合であってもその影響が該防水シート４に直接及ばないようにするために、たとえばクロスシートを設ける等の手段を、適宜とることができる。
【００３６】
図６は、本発明の水平屋根構造工法を示すフロー図である。図において本発明の工法は、建築物躯体上に水平な板状構造物である水平板状体を設ける水平板状体設置工程Ｓ１と、該工程Ｓ１により形成された水平板状体に二以上のシート固着部材を固設するシート固着部材固設工程Ｓ２と、該シート固着部材の固設された該水平板状体を被覆して防水シートを設け、該防水シートを該シート固着部材に溶着して該水平板状体に点張りすることによって水平屋根とする防水シート点張り工程Ｓ３と、さらに該水平屋根上に排水用のドレン部を設けるドレン部設置工程Ｓ４と、一方該水平屋根の周囲に該水平屋根上に吹き込む気流に乱流を生じさせるパラペットを設けるパラペット設置工程Ｓ５と、から構成され、これらの工程が実施されることにより、本発明の水平屋根構造１Ｂを得ることができる。
【００３７】
図７は、本発明の水平屋根構造工法を示す別のフロー図である。図において本発明の工法は、建築物躯体上に水平な板状構造物である水平板状体として構造用合板を乱張りする乱張り工程Ｓ１１と、該工程Ｓ１１により形成された乱張りされた合板の上にスレート板またはその他の構造用部材を設けて水平板状体とするスレート板等設置工程Ｓ１２と、該水平板状体に二以上のシート固着部材を固設するシート固着部材固設工程Ｓ２と、該シート固着部材の固設された該水平板状体を被覆して防水シートを設け、該防水シートを該シート固着部材に溶着して該水平板状体に点張りすることによって水平屋根を構成する防水シート点張り工程Ｓ３と、さらに該水平屋根上に排水用のドレン部を設けるドレン部設置工程Ｓ４と、一方該水平屋根の周囲に該水平屋根上に吹き込む気流に乱流を生じさせるパラペットを設けるパラペット設置工程Ｓ５と、建築物躯体の軸組みには筋かいを設ける筋かい設置工程Ｓ６とから構成され、これらの工程が実施されることにより、本発明の水平屋根構造１Ｃを得ることができる。
【００３８】
本発明の工法により上述した本発明の水平屋根構造が構成される。そして、すべてがピン接点により構成される軸組みにおいても、小屋組みとしては水平板状体を設けることにより、ピンにおける自由な回転が抑制されるため従来よりも水平力が強くなり、その結果、その力は建築物の縦方向の構成である軸組みにも伝わり、建築物全体の強度を高めることができる。さらに図７の工法では軸組みに筋かいが設置されることによって、建築物の強度、殊に水平力に対する強度を一層高めることができる。
【００３９】
図８は、本発明の水平屋根構造を用いた建築物の概略構成を示す、（ａ）平面図（小屋伏せ図）、（ｂ）Ｙ方向立面図（桁行方向の立面図。以下においても同様。）、（ｃ）Ｘ方向立面図（妻行方向の立面図。以下においても同様。）である。図中（ａ）〜（ｃ）において本水平屋根構造は、乱張りされた複数の構造用合板３１と、桁５２、５３等と、梁４６等と、柱４３、４５等と、火打ち梁５８等と、筋かい７Ａ、７Ｂとを備える。図中、ＧＬは地面である（以下においても同様。）
【００４０】
図９は、図８に示した概略構成を有する本発明の水平屋根構造を用いた建築物に水平力Ｈが作用した場合においても変形発生が少ないことを説明する、該建築物の概略構成を示す（ａ）平面図（小屋伏せ図）、（ｂ）Ｙ方向立面図である。図において、本建築物に水平力Ｈが作用しても、乱張りされた構造用合板３１により構成された水平板状体により、ピンにおける自由な回転が抑制されて水平力に対する抵抗が強くなり、その結果、建築物全体の強度が高まり、さらに筋かい７Ａ等が設置されることによって、建築物の強度、殊に水平力に対する強度が一層高まるため、水平面の崩れ、さらにはそれによる垂直面の崩れは抑制され、変形発生が少ない。
【００４１】
すなわち、構造用合板３１による水平板状体を設けることにより、本発明の水平屋根構造を用いた建築物では、従来の小屋組みと比較して剛性が高まり、また束の設置が不要であるため、水平力が軸組みへ均等に分散されて伝わる。筋かいを設ける位置は任意であるが、施工制度を考慮すると、図に例示するように、Ｘ軸始点およびＹ軸終点を原点として設けるなどの設置方法をとることが望ましい。
【００４２】
図１０は、従来の屋根構造を用いた建築物の概略構成を示す、（ａ）平面図（小屋伏せ図）、（ｂ）Ｙ方向立面図、（ｃ）Ｘ方向立面図である。図中（ａ）〜（ｃ）において従来の屋根構造は、桁７２、７３等と、母屋桁７６等と、梁６６、６８等とからなる小屋組みと、柱６２、６３等と、火打ち梁８８等と、筋かい８７Ａ、８７Ｂとを備える。
【００４３】
図１１は、図１０に示した概略構成を有する従来の屋根構造を用いた建築物に水平力Ｈが作用した場合に発生する変形を説明する、該建築物の概略構成を示す（ａ）平面図（小屋伏せ図）、（ｂ）Ｙ方向立面図である。図において、ピン接点による自由な回転により、筋かい８７Ａ等や火打ち梁８８等の設けられた部分以外の部分は水平力に対する抵抗が充分ではない。その結果、従来の屋根構造を用いた建築物に水平力Ｈが作用すると、これに対する建築物全体の強度は不充分であり、水平面の崩れ、さらにはそれによる垂直面の崩れ、変形発生が発生しやすなる。
【００４４】
一方図８および９に示したように、本発明の水平屋根構造を用いた建築物は、従来の屋根構造を用いたものと比較して全体の強度を高めることができる。
【００４５】
【発明の効果】
本発明の水平屋根構造および水平屋根構造工法によれば、上述のように構成されているため、屋根上の積雪を減少させることができ、かつ落雪を防止することができる。
【００４６】
また、防水シートは建築物躯体の変形の影響を受けず追随性がよい上、これを溶着工法により設けることにより、年数経過による該シートの剥がれを防止することができ、維持保全の労力とコストが不要となる。
【００４７】
また、本発明の水平屋根構造を用いた建築物は屋根に勾配を設ける必要がないため、小屋組みには束等を設ける必要がなく、軒高が高くなることを抑制することができ、風当たり面積、重量ともにその増大を抑制することができ、余計な強度対策が不要となる。さらに、小屋組みとしては水平板状体を設けることにより従来よりも水平力が強くなり、その結果、その力は建築物の縦方向の構成である軸組みにも伝わり、建築物全体の強度を高めることができる。
【００４８】
加えて、軒高の抑制や勾配が不要であることにより、屋根を構成する材料およびそれに係るコストを低減することができ、また、屋根を水平に構成するため施工作業の能率がよく、効率的に施工することができる。
【図面の簡単な説明】
【図１】本発明の水平屋根構造の妻行方向からの縦断面図である。
【図２】図１に示した本発明の水平屋根構造のシート固着部材６Ａ付近を拡大した一部縦断面図である。
【図３】本発明の水平屋根構造の平面図（屋根伏せ図）である。
【図４】本発明の水平屋根構造における屋根上の積雪量減少の作用を示す説明図である。
【図５】本発明の水平屋根構造の妻行方向からの一部拡大縦断面図である。
【図６】本発明の水平屋根構造工法を示すフロー図である。
【図７】本発明の水平屋根構造工法を示す別のフロー図である。
【図８】本発明の水平屋根構造を用いた建築物の概略構成を示す、（ａ）平面図（小屋伏せ図）、（ｂ）Ｙ方向立面図、（ｃ）Ｘ方向立面図である。
【図９】本発明の水平屋根構造を用いた建築物に水平力Ｈが作用した場合においても変形が発生しないことを説明する、該建築物の概略構成を示す（ａ）平面図（小屋伏せ図）、（ｂ）Ｙ方向立面図である。
【図１０】従来の屋根構造を用いた建築物の概略構成を示す、（ａ）平面図（小屋伏せ図）、（ｂ）Ｙ方向立面図、（ｃ）Ｘ方向立面図である。
【図１１】従来の屋根構造を用いた建築物に水平力Ｈが作用した場合に発生する変形を説明する、該建築物の概略構成を示す（ａ）平面図（小屋伏せ図）、（ｂ）Ｙ方向立面図である。
【図１２】従来の無落雪住宅における屋根構造の妻行方向からの縦断面図である。
【図１３】従来の無落雪住宅における屋根構造の平面図（小屋伏せ図）である。
【符号の説明】
１、１Ｂ、１Ｃ…水平屋根構造、　３…水平板状体、４…防水シート、５…ドレン部、　６Ａ、６Ｂ…シート固着部、　７Ａ、７Ｂ…筋かい、　８…釘ねじ、
１０…水平屋根、　２０…パラペット、　２１…オーバーフロー部、　３１…構造用合板、　３３…スレート板等、　４１〜４５…柱、　４６…梁、
５１〜５３…桁、　５６…母屋桁、　５７…垂る木、　５８…火打ち梁、　６１〜６３…柱、　６６〜６８…梁、　７１〜７３…桁、　７６…母屋桁、　７７…垂る木、　７８…束、　７９…トタン板、　８０…無落雪住宅屋根、　８３…中央溝、　８５…ドレン、　８７Ａ、８７Ｂ…筋かい、　８８…火打ち梁、　Ｓ１…水平板状体設置工程、　Ｓ２…シート固着部材固設工程、　Ｓ３…防水シート点張り工程、　Ｓ４…ドレン部設置工程、　Ｓ５…パラペット設置工程、　Ｓ６…筋かい設置工程、　Ｓ１１…乱張り工程、　Ｓ１２…スレート板等設置工程、Ｆ…水の流れ、　ＧＬ…地面、　Ｈ…水平力、　Ｗ、Ｗ１、Ｗ２…気流、Ｙ…屋根上の雪の動き
【図１】
2004036238.tif 000003
【図２】
2004036238.tif 000004
【図３】
2004036238.tif 000005
【図４】
2004036238.tif 000006
【図５】
2004036238.tif 000007
【図６】
2004036238.tif 000008
【図７】
2004036238.tif 000009
【図８】
2004036238.tif 000010
【図９】
2004036238.tif 000011
【図１０】
2004036238.tif 000012
【図１１】
2004036238.tif 000013
【図１２】
2004036238.tif 000014
【図１３】
2004036238.tif 000015